(57)【特許請求の範囲】
【請求項１】
歩行者などの人体を検知するセンサを有する入力部と、アドレスなどの情報の更新処理等を行うＣＰＵと、運用モードとアドレス設定モードとの切換えを行うメンテナンススイッチと、前記ＣＰＵからの信号に応じて照明器具の点消灯及び、照度を制御する照明制御部と、アドレス等を記憶する記憶部と、他照明制御装置との通信を行う通信部と、から構成される複数の照明制御装置と、該照明制御装置に接続される複数の照明器具とが、伝送路を介して接続される照明制御システムであって、
各照明制御装置は、前記アドレス設定モード時においては、前記運用モード時よりも前記入力部のセンサ検知範囲を狭めるとともに、同一のアドレスの候補値を設定し、前記入力部が反応した照明制御装置は、前記アドレスの候補値を自らのアドレスとして設定すると共に、他の照明制御装置にアドレスの取得通知を行い、該アドレスの取得通知を受信した照明制御装置は、アドレスの候補値を所定値変化させ、前記入力部からの入力に応じて順番にアドレスを設定していくことを特徴とする照明制御システム。
【請求項２】
前記アドレス設定モード時には、各々の照明制御装置に接続されている照明器具の照度が、アドレス取得前と取得後で変化することによって、設定者にアドレスの設定状況を容易に理解させることが可能になることを特徴とする請求項１記載の照明制御システム。
【発明の詳細な説明】
【０００１】
【発明の属する技術分野】
本発明は、照明制御システムにおいて、特にセンサ等の入力部を持つ照明制御装置により負荷を点灯・消灯させる照明制御システム関する。
【０００２】
【従来の技術】
従来より快適な照明環境創出のために、各照明制御装置にアドレスを持たせて、調光スイッチと各照明制御装置の動作パターンとの対応関係を設定するという方法が採られてきた。また、センサなどのような入力手段によって、利用者が積極的にスイッチ操作を行う必要なしに自動的に調光を行うシステムが提供されている。
【０００３】
【発明が解決しようとする課題】
ところが、上述したようなシステムでは、設定者は各照明制御装置が固有のアドレスを持つことを保証する必要があると同時に、各照明器具の位置関係に基づく調光を行いたい場合は、アドレスと位置関係は関連を持たないことから、設定者が、各照明制御装置のアドレスと調光パターンの対応関係を厳密に定義する必要がある。
【０００４】
本発明は、上記問題を鑑み成されたものであり、その目的とするところは、センサなどのような入力手段を持つ照明制御装置を含む照明制御システムにおいて、照明制御装置のアドレスの値が照明制御装置間の相対的位置関係を表現し、さらに設定が簡易になる優れた照明制御システムを提供することにある。
【０００５】
【課題を解決するための手段】
請求項１記載の発明にあっては、歩行者などの人体を検知するセンサを有する入力部と、アドレスなどの情報の更新処理等を行うＣＰＵと、運用モードとアドレス設定モードとの切換えを行うメンテナンススイッチと、前記ＣＰＵからの信号に応じて照明器具の点消灯及び、照度を制御する照明制御部と、アドレス等を記憶する記憶部と、他照明制御装置との通信を行う通信部と、から構成される複数の照明制御装置と、該照明制御装置に接続される複数の照明器具とが、伝送路を介して接続される照明制御システムであって、各照明制御装置は、前記アドレス設定モード時においては、前記運用モード時よりも前記入力部のセンサ検知範囲を狭めるとともに、同一のアドレスの候補値を設定し、前記入力部が反応した照明制御装置は、前記アドレスの候補値を自らのアドレスとして設定すると共に、他の照明制御装置にアドレスの取得通知を行い、該アドレスの取得通知を受信した照明制御装置は、アドレスの候補値を所定値変化させ、前記入力部からの入力に応じて順番にアドレスを設定していくことを特徴とするものである。
【０００６】
【課題を解決するための手段】
請求項２記載の発明にあっては、請求項１記載の発明において、前記アドレス設定モード時には、各々の照明制御装置に接続されている照明器具の照度が、アドレス取得前と取得後で変化することによって、設定者にアドレスの設定状況を容易に理解させることが可能になることを特徴とするものである。
【０００８】
【発明の実施の形態】
以下本発明に係わる照明制御システムの一実施の形態について、図１乃至図１０を用いて、詳細に説明する。
【０００９】
本実施の形態におけるシステムの構成を以下に示す。
図１は、照明制御装置２〜５と制御対象である照明器具６〜９が独立している場合であるが、図２に示すように照明制御装置２〜５と照明器具６〜９が一体となった器具を用いて構成してもよい。さらに、図３のように、情報管理装置１を持たず、各照明制御装置間で協調して調光を行うシステムとして構成してもよい。
【００１０】
図４に示すように、照明制御装置２は、センサなどの入力部２−１と、後述する各処理を行うＣＰＵ２−２と、運用モードとアドレス設定モードとの切換えを行うメンテナンススイッチ２−３と、ＣＰＵ２−２からの信号に応じて照明器具の点消灯、照度を制御する照明制御部２−４と、後述するアドレス等を記憶する記憶部２−５と、他照明制御装置と通信を行う通信部２−６とから構成される。
【００１１】
ＣＰＵ２−２は、以下（１）〜（４）の処理を行う。
（１）アドレスや仮アドレスなどの情報の更新処理
（２）他の照明制御装置とのデータ通信処理
（３）調光装置を通じた照明の制御処理
（４）メンテナンススイッチからの入力に応じた状態の変更処理
記憶部２−５は、以下（５）〜（９）の内容を記憶する。
（５）運用時に用いる自己のアドレス
（６）アドレス設定モードにおける仮アドレス
（７）全アドレス中最も若いアドレスである最小アドレス
（８）全アドレス中最も若いアドレスである最小アドレス
（９）センサー、メンテナンススイッチからの入力や伝送路からの入力信号、現在のシステムの状態によって動作が決定されるプログラム
次に、各照明制御装置の入力部を、人体を検知するセンサとした場合において、アドレスの設定を行う場合の手順を以下に示す。
先ずステップ１として、アドレス設定モードへの移行動作を図５に基づき以下（１０〜（１２）の順で説明する。
（１０）アドレスの設定者がシステム中のいずれかの照明制御装置に、アドレス設定モードへの移行を通知する。アドレス設定モードへの移行は図４に示したメンテナンススイッチ２−３で行う。
（１１）アドレス設定モードへの移行通知を受けた照明制御装置は、自らの状態をアドレス設定状態へと遷移させると同時に、伝送路１０を通じて他の照明制御装置にアドレス設定モードへの移行通知を行う。
また、図４に示した記憶部２−５に記憶している仮アドレス候補値を、最小アドレス値１−１に設定する。また、センサの検知範囲を狭める。また、照明の照度を全照明制御装置共通のある値にセットする。
（１２）伝送路１０を通じてアドレス設定モードへの移行通知を受信した照明制御装置は、自らの状態をアドレス設定状態へと遷移させると同時に、アドレス設定モードへの移行通知を行った照明制御装置に、状態遷移完了信号を送信する。また、図４に示した記憶部２−５に記憶している仮アドレス候補値を、最小アドレス値１−１に設定する。また、センサの検知範囲を狭める。また、照明の照度を全照明制御装置共通のある値にセットする。この時点では全照明制御装置の仮アドレスは未定である。
【００１２】
次に、ステップ２としてセンサ反応時の動作を図６に基づき説明すると、設定者が照明制御装置１の下を歩くなどして、照明制御装置１のセンサを反応させると、当該照明制御装置は仮アドレスを、その時点の仮アドレス候補の値１−１に設定すると同時に、伝送路を通じて他の照明制御装置に仮アドレス取得通知を行う。また、照明の照度を変化させる。
【００１３】
更に、ステップ３として仮アドレス取得通知受信時の動作を図７に基づき説明すると、各照明制御装置２〜５は、伝送路１０から仮アドレス取得通知を受信すると、記憶部２−５〜５−５に保持している仮アドレス候補値を、その時点の値１−１から次の値１−２へと変化させる。
【００１４】
最後に、ステップ４として運用モードへの復帰動作を以下（１３）〜（１４）の順で説明すると、
（１３）各照明制御装置は、メンテナンススイッチから運用モード復帰の通知を受けると、伝送路１０を通じて他の照明制御装置に運用モード復帰通知を行う。伝送路１０から運用モード復帰通知を受けた照明制御装置は、自らの仮アドレスが設定されているかどうかによって、以下１３−１），１３−２），１３−３）のいずれかの動作を行う。
１３−１）仮アドレスが設定されている場合
自らの仮アドレスを自らの実アドレスとし、運用モード復帰通知を行った照明制御装置に対して、復帰準備完了信号を送信する。また、センサの検知範囲を広げる。
１３−２）仮アドレスが設定されていない場合
運用モード復帰通知を行った照明制御装置に対し、仮アドレス未設定信号を送信する。また、照明の点滅などを行うことによって、アドレスが未設定状態であることを設定者に通知するなどの措置を講じてもよい。
１３−３）運用モード復帰通知を行った照明制御装置は、全ての照明制御装置がアドレスを取得したと判断した時点で、自らの仮アドレスを実アドレスとし、運用モードへと移行する。また、センサの検知範囲を広げる。
【００１５】
図８は、同様にして設定者が隣接する照明制御装置のセンサ範囲内へと移動した後の状態即ち第２の照明制御装置が仮アドレスを取得した状態を示したものである。図９は、全照明制御装置が仮アドレスを取得した状態である。照明制御装置１は仮アドレス１−１，照明制御装置２は仮アドレス１−２，照明制御装置３は仮アドレス１−３，照明制御装置４は仮アドレス１−４，照明制御装置５は仮アドレス１−５となる。図１０は、照明制御装置の入力部としてセンサを用いた場合の、センサの検知範囲の設定例を示す図である。ここで、Ａ部はアドレス設定時の検知範囲、Ｂ部は運用時の検知範囲を示している。
【００１６】
【発明の効果】
以上説明したように、請求項１記載の発明によれば、アドレスの順番がそのまま照明制御装置の位置関係を表わす（物理的に隣接する照明制御装置は、隣接するアドレス値を持つ）ことから、運用時に位置情報を必要とする調光機能を簡易に実現することができるとともに、照明制御装置間で固有、かつ照明器具間の相対的位置関係を表わすようなアドレスを簡易に設定することができると言う効果を奏する。また、運用時はセンサの検知範囲を広範囲とすることで、センサの検知漏れを防ぐことができるとともに、アドレス設定時はセンサの検知範囲を狭い範囲とすることで、複数の照明制御装置が同一アドレスを取得することを防ぐことができると言う効果を奏する。
【００１７】
請求項２記載の発明によれば、照度の変化によって、設定者に設定漏れの装置が残っているか、または希望する順序にアドレスが設定されているかを容易に理解させることができると言う効果を奏する。
【図面の簡単な説明】
【図１】本発明に係わる照明制御システムの一実施の形態のシステム図である。
【図２】上記照明制御システムの一実施の形態のシステム図である。
【図３】上記照明制御システムの一実施の形態のシステム図である。
【図４】上記照明制御システムの照明制御装置の構成図である。
【図５】上記照明制御システムのアドレス設定モード移行直後の図である。
【図６】上記照明制御システムの第１の照明制御装置が設定者を認識した状態を説明する図である。
【図７】上記照明制御システムのその他の照明制御装置が仮アドレス候補値を次の値にした状態を説明する図である。
【図８】上記照明制御システムの第２の照明制御装置が設定者を認識した状態を説明する図である。
【図９】上記照明制御システムの全照明制御装置が仮アドレスを取得した状態である。
【図１０】上記照明制御システムの照明制御装置の入力部としてセンサを用いた場合の、センサの検知範囲の設定例を示す図である。
【符号の説明】
１〜５  照明制御装置
２−１  入力部
２−３  メンテナンススイッチ
２−４  照明制御部
２−５  記憶部
２−６  通信部
６〜９  照明器具
１０    伝送路
【図１】
0004155676.tif 000002
【図２】
0004155676.tif 000003
【図３】
0004155676.tif 000004
【図４】
0004155676.tif 000005
【図５】
0004155676.tif 000006
【図６】
0004155676.tif 000007
【図７】
0004155676.tif 000008
【図８】
0004155676.tif 000009
【図９】
0004155676.tif 000010
【図１０】
0004155676.tif 000011